(57)【要約】【課題】板クランプのスライド方向を安定させると共に、チューブの開口端から流出する液体の飛び散りを抑制した医療器具を提供する。【解決手段】医療器具は、開口端１７を有するチューブ１５と、チューブ１５の外径寸法より広い幅広部２７Ａ及び狭い幅狭部２７Ｂを有する貫通孔２７が形成された板クランプ２２と、チューブ１５及び板クランプ２２を保持する保持部材２１とを備え、保持部材２１は、貫通孔２７に挿通されたチューブ１５に貫通されると共に、長手方向をチューブ１５と交差するスライド方向に向けた板クランプ２２をスライド方向にスライド可能に保持するガイド部２３と、ガイド部２３を貫通するチューブ１５の向きにガイド部２３から突出しており、チューブ１５の開口端１７側を保持する筒状部２４とを有する。【選択図】図３
2014230617.tif 000002
【特許請求の範囲】
【請求項１】
開口端を有するチューブと、
上記チューブの外径寸法より広い幅広部及び上記チューブの外径寸法より狭い幅狭部が長手方向に沿って連続した貫通孔を有する板クランプと、
上記チューブ及び上記板クランプを互いに交差する向きに向けて保持する保持部材と、を備えており、
上記保持部材は、
上記貫通孔に挿通された上記チューブに貫通されると共に、長手方向を上記チューブと交差するスライド方向に向けた上記板クランプを上記スライド方向にスライド可能に保持するガイド部と、
上記ガイド部を貫通する上記チューブの向きに上記ガイド部から突出しており、当該チューブの上記開口端側を保持する筒状部と、を有する医療器具。
【請求項２】
上記保持部材は、
上記筒状部である第１筒状部と、
上記第１筒状部と反対向きに上記ガイド部から突出しており、上記チューブの上記開口端と反対側を保持する第２筒状部と、を有する請求項１に記載の医療器具。
【請求項３】
上記第１筒状部及び上記第２筒状部の外径寸法は、両端部から中央部に向かって連続的に小さくなっている請求項２に記載の医療器具。
【請求項４】
上記第１筒状部は、その外周面から径方向外向きに広がるフランジ部を有する請求項２又は３に記載の医療器具。
【請求項５】
長手方向において互いに対向する上記板クランプの一対の端面は、両端部に対して中央部が凹んだ湾曲面である請求項１から４のいずれかに記載の医療器具。
【請求項６】
上記ガイド部は、上記スライド方向の一方側及び他方側において開口しており、
上記筒状部の突出方向において上記開口と隣接する上記ガイド部の壁面は、上記板クランプの湾曲面に沿う湾曲面である請求項５に記載の医療器具。
【請求項７】
上記開口端と反対側の端部において上記チューブに接続されており、体液を貯留する容器を備える請求項１から６のいずれかに記載の医療器具。
【発明の詳細な説明】
【技術分野】
【０００１】
本発明は、チューブ内における液体の流通を許容或いは規制する医療器具に関する。
【背景技術】
【０００２】
従来から、液体が流通するチューブをクランプすることによって、当該チューブ内における液体の流通を規制するクランプ装置が知られている。例えば、特許文献１には、排尿チューブからの尿の排出を許容或いは規制する板クランプが取り付けられた尿バッグが開示されている。
【０００３】
特許文献１に記載されている板クランプには、厚み方向に貫通する貫通孔が設けられている。この貫通孔は、排尿チューブの外径寸法より広い幅広部と、排尿チューブの外径寸法より狭い幅狭部とが設けられている。そして、この貫通孔に排尿チューブを挿通した状態で板クランプを排尿チューブと交差する方向にスライドさせると、排尿チューブが幅広部に位置する時に尿の流通が許容され、排尿チューブが幅狭部に位置する時に尿の流通が規制される。
【先行技術文献】
【特許文献】
【０００４】
【特許文献１】特開２００５−１３７５６９号公報
【発明の概要】
【発明が解決しようとする課題】
【０００５】
しかしながら、特許文献１の構成では、排尿チューブに対する板クランプのスライド向きが不安定になって、特に排尿チューブを幅広部から幅狭部に確実に移動させることができない可能性がある。また、排尿チューブを幅狭部に押し込んだ時の衝撃によって排尿チューブの先端が暴れて、排尿チューブ内に残留した尿が飛び散る可能性がある。
【０００６】
本発明は、上記の事情に鑑みてなされたものであり、その目的は、板クランプのスライド方向を安定させると共に、チューブの開口端から流出する液体の飛び散りを抑制した医療器具を提供することにある。
【課題を解決するための手段】
【０００７】
(1)  本発明に係る医療器具は、開口端を有するチューブと、上記チューブの外径寸法より広い幅広部及び上記チューブの外径寸法より狭い幅狭部が長手方向に沿って連続した貫通孔を有する板クランプと、上記チューブ及び上記板クランプを互いに交差する向きに向けて保持する保持部材とを備える。そして、上記保持部材は、上記貫通孔に挿通された上記チューブに貫通されると共に、長手方向を上記チューブと交差するスライド方向に向けた上記板クランプを上記スライド方向にスライド可能に保持するガイド部と、上記ガイド部を貫通する上記チューブの向きに上記ガイド部から突出しており、当該チューブの上記開口端側を保持する筒状部とを有する。
【０００８】
上記構成によれば、板クランプのスライド方向へのスライドがガイド部によって案内されるので、幅広部及び幅狭部の間におけるチューブの移動を確実に行うことができる。また、チューブの先端側（液体の流通向きの下流側）が筒状部によって保持されているので、チューブの先端が暴れることによる液体の飛び散りを抑制することができる。
【０００９】
(2)  好ましくは、上記保持部材は、上記筒状部である第１筒状部と、上記第１筒状部と反対向きに上記ガイド部から突出しており、上記チューブの上記開口端と反対側を保持する第２筒状部とを有する。
【００１０】
上記構成によれば、例えば、第１筒状部及び第２筒状部に人差し指及び中指を引っ掛けた状態で、板クランプを親指で押し込むことによって、当該板クランプをスライドさせることができる。また、ガイド部の両側でチューブが保持されるので、板クランプのスライドがさらに安定する。
【００１１】
(3)  好ましくは、上記第１筒状部及び上記第２筒状部の外径寸法は、両端部から中央部に向かって連続的に小さくなっている。
【００１２】
第１筒状部及び第２筒状部の中央部を凹ませることにより、上記のように板クランプをスライドさせる際に、人差し指及び中指を安定して引っ掛けることができる。
【００１３】
(4)  好ましくは、上記第１筒状部は、その外周面から径方向外向きに広がるフランジ部を有する。
【００１４】
上記構成によれば、チューブの開口端から外周面を伝って流れ落ちる液体をフランジ部によって堰き止めることができる。これにより、板クランプをスライドさせる際にユーザが触れる部分の汚染を抑制することができる。
【００１５】
(5)  好ましくは、長手方向において互いに対向する上記板クランプの一対の端面は、両端部に対して中央部が凹んだ湾曲面である。
【００１６】
上記構成によれば、湾曲面を親指で押して板クランプをスライドさせることにより、板クランプのスライドがさらに安定する。
【００１７】
(6)  好ましくは、上記ガイド部は、上記スライド方向の一方側及び他方側において開口している。そして、上記筒状部の突出方向において上記開口と隣接する上記ガイド部の壁面は、上記板クランプの湾曲面に沿う湾曲面である。
【００１８】
板クランプの湾曲面とガイド部の湾曲面とが面一となるまで板クランプをスライドさせることにより、チューブを確実に幅広部或いは幅狭部に到達させることができる。
【００１９】
(7)  好ましくは、上記開口端と反対側の端部において上記チューブに接続されており、体液を貯留する容器を備える。
【発明の効果】
【００２０】
本発明によれば、板クランプのスライド方向へのスライドがガイド部によって案内されるので、幅広部及び幅狭部の間におけるチューブの移動を確実に行うことができる。また、チューブの先端側（液体の流通向きの下流側）が筒状部によって保持されているので、チューブの先端が暴れることによる液体の飛び散りを抑制することができる。
【図面の簡単な説明】
【００２１】
【図１】図１は、本実施形態における尿バッグ１０の正面図である。
【図２】図２は、クランプ装置２０の部品図であって、（Ａ）は保持部材２１の斜視図、（Ｂ）は板クランプ２２の正面図である。
【図３】図３は、排尿チューブ１５内の尿の流通を許容するときのクランプ装置２０の斜視図である。
【図４】図４は、図３のＩＶ−ＩＶにおける断面図である。
【図５】図５は、図３における板クランプ２２に挿通された排尿チューブ１５の状態を示す図である。
【図６】図６は、排尿チューブ１５内の尿の流通を規制するときのクランプ装置２０の斜視図である。
【図７】図７は、図６のＶＩＩ−ＶＩＩにおける断面図である。
【図８】図８は、図６における板クランプ２２に挿通された排尿チューブ１５の状態を示す図である。
【発明を実施するための形態】
【００２２】
以下、図面が参照されつつ本発明の実施形態が説明される。なお、本実施形態は、本発明の一例にすぎず、本発明の要旨が変更されない範囲において、本実施形態が適宜変更されてもよいことは言うまでもない。
【００２３】
図１は、本実施形態における尿バッグ１０（本発明の医療器具の一例）の平面図である。尿バッグ１０は、図１に示されるように、容器１１と、導尿チューブ１４と、排尿チューブ１５（本発明のチューブの一例）と、クランプ装置２０（本発明の医療器具の他の例）とを備える。
【００２４】
容器１１は、内部空間に尿を貯留するものであり、例えば、ポリ塩化ビニルなどの軟質性樹脂で袋状に形成されている。また、容器１１の上部には、ベッドの柵などに尿バッグ１０を係止するための係止部１２が設けられている。さらに、容器１１の表面には、容器１１内に貯留された尿の量を計測する目盛り１３が設けられている。
【００２５】
導尿チューブ１４は、一端が尿道カテーテル（不図示）に接続され、他端が容器１１に接続される。なお、本実施形態における導尿チューブ１４は、容器１１の上部に接続される。また、導尿チューブ１４は、例えば、ラテックスなどの可撓性材料で形成されている。これにより、尿道カテーテルを通じて患者の体外に排出された尿は、導尿チューブ１４を通じて容器１１に導かれる。
【００２６】
排尿チューブ１５は、一端（接続端１６）が容器１１に接続され、他端（開口端１７）が開口している。なお、本実施形態における排尿チューブ１５は、容器１１の下部に接続されている。排尿チューブ１５は、例えば、ＡＢＳ樹脂などで形成されている。また、排尿チューブ１５は、容器１１との接続端１６を回動基端とし、開口端１７を回動先端として回動可能に構成されている。さらに、排尿チューブ１５には、排尿チューブ１５内の尿の流通を許容或いは規制するためのクランプ装置２０が取り付けられている。
【００２７】
すなわち、容器１１内に尿を貯留させておく場合には、図１に示されるように、クランプ装置２０によって排尿チューブ１５内の尿の流通を規制し、且つ開口端１７が接続端１６より上方に位置するように排尿チューブ１５を回動させればよい。一方、容器１１内の尿を排尿チューブ１５を通じて排出する場合には、クランプ装置２０によって排尿チューブ１５内の尿の流通を許容し、且つ開口端１７が接続端１６より下方に位置するように排尿チューブ１５を回動させればよい。
【００２８】
図２〜図８を参照して、本実施形態におけるクランプ装置２０を説明する。クランプ装置２０は、図２（Ａ）に示される保持部材２１と、図２（Ｂ）に示される板クランプ２２とで構成される。なお、以下の説明において、図２〜図８に示される上下方向７、前後方向８、及び左右方向９を基準として各構成要素の位置関係を説明する。但し、これは各構成要素の絶対的な位置関係を表すものではない。すなわち、図２に示される上下方向７、前後方向８、及び左右方向９は、互いに直交する第１方向、第２方向、及び第３方向と読み替えることができる。
【００２９】
保持部材２１は、図２（Ａ）に示されるように、ガイド部２３と、第１筒状部２４と、第２筒状部２５とで構成されている。保持部材２１は、例えば、排尿チューブ１５より硬質の樹脂材料で形成されている。保持部材２１は、排尿チューブ１５及び板クランプ２２を互いに交差（本実施形態では、直交）する向きに向けて保持する。具体的には、保持部材２１は、前後方向８に延びる排尿チューブ１５と、長手方向を上下方向７に向けた板クランプ２２とを保持している。そして、保持部材２１に保持された板クランプ２２は、上下方向７（本発明のスライド方向の一例）にスライドすることによって、排尿チューブ１５内の尿の流通を許容或いは規制する。
【００３０】
ガイド部２３は、図２（Ａ）に示されるように、前後方向８において互いに対向する前壁３０及び後壁３１と、上下方向７において互いに対向する上壁３２及び下壁３３と、左右方向９において互いに対向する左壁３４及び右壁３５とを有する箱形状である。ガイド部２３は、前壁３０、後壁３１、上壁３２、下壁３３、左壁３４、及び右壁３５によって内部空間が区画されている。前壁３０及び後壁３１には、図４及び図７に示されるように、排尿チューブ１５が挿通される開口３６、３７が設けられている。また、上壁３２及び下壁３３には、内部に収容した板クランプ２２を露出させる開口３８、３９が設けられている。そして、ガイド部２３の内部空間には、互いに交差する向きを向いた排尿チューブ１５及び板クランプ２２が保持される。
【００３１】
第１筒状部２４は、図２（Ａ）に示されるように、開口３６を囲む位置において前壁３０から前方に突出している。また、第１筒状部２４の外径寸法は、前後方向８の両端部から中央部に向かって連続的に小さくなっている。すなわち、第１筒状部２４の外周面の断面形状は、図４及び図７に示されるように、中央部が凹んだ湾曲面となっている。一方、第１筒状部２４の内径寸法は、排尿チューブ１５の外径寸法より僅かに大きく設定されており、前後方向８において概ね一定である。さらに、第１筒状部２４には、その外周面から径方向外向きに広がるフランジ部２６が形成されている。フランジ部２６は、前後方向８において、第１筒状部２４の外径寸法が最も小さい位置より先端側（すなわち、ガイド部２３から遠い側）に設けられている。
【００３２】
第２筒状部２５は、図２（Ａ）に示されるように、開口３７を囲む位置において後壁３１から後方に突出している。また、第２筒状部２５の外径寸法は、前後方向８の両端部から中央部に向かって連続的に小さくなっている。すなわち、第２筒状部２５の外周面の断面形状は、図４及び図７に示されるように、中央部が凹んだ湾曲面となっている。一方、第２筒状部２５の内径寸法は、排尿チューブ１５の外径寸法より僅かに大きく設定されており、前後方向８において概ね一定である。
【００３３】
なお、第１筒状部２４及び第２筒状部２５の内部空間は、図４及び図７に示されるように、開口３６、３７及びガイド部２３の内部空間を通じて相互に連通している。そして、相互に連通する第１筒状部２４、ガイド部２３、及び第２筒状部２５の内部空間には、排尿チューブ１５が挿通される。すなわち、保持部材２１は、図３及び図６に示されるように、排尿チューブ１５を前後方向８に向けて保持する。
【００３４】
また、図１に示されるように、第１筒状部２４は、排尿チューブ１５の開口端１７に向かってガイド部２３から突出している。一方、第２筒状部２５は、排尿チューブ１５の接続端１６に向かってガイド部２３から突出している。すなわち、第１筒状部２４及び第２筒状部２５は、互いに反対向きにガイド部２３から突出している。そして、第１筒状部２４は排尿チューブ１５の開口端１７側を保持し、第２筒状部２５は排尿チューブ１５の接続端１６側を保持している。
【００３５】
板クランプ２２は、図２（Ｂ）に示されるように、概ね長方形状をなす板状の部材である。また、板クランプ２２には、厚み方向に貫通する貫通孔２７が形成されている。さらに、板クランプ２２の外縁部２８は、他の部分と比較して厚肉になっている。貫通孔２７は、幅広部２７Ａと幅狭部２７Ｂとで構成される。幅広部２７Ａは、左右方向９における開口幅が幅狭部２７Ｂより広い。より詳細には、左右方向９における幅広部２７Ａの開口幅は、排尿チューブ１５の外径寸法より広い。一方、幅狭部２７Ｂは、左右方向９における開口幅が幅広部２７Ａより狭い。より詳細には、左右方向９における幅狭部２７Ｂの開口幅は、排尿チューブ１５の肉厚の２倍より僅かに狭い。また、幅広部２７Ａ及び幅狭部２７Ｂは、板クランプ２２の長手方向に沿って連続している。
【００３６】
板クランプ２２は、図５及び図８に示されるように排尿チューブ１５が貫通孔２７に挿通された状態で、図４及び図６に示されるように長手方向を上下方向７に向けてガイド部２３の内部空間に保持されている。また、板クランプ２２は、ガイド部２３の内部空間を区画する内壁面に案内されて上下方向７にスライド可能となっている。より詳細には、板クランプ２２は、上端が開口３８を通じてガイド部２３から露出し且つ下端がガイド部２３の内部に没入した状態（図４に示される状態）と、上端がガイド部２３の内部に没入し且つ下端が開口３９を通じてガイド部２３から露出した状態（図７に示される状態）との間でスライド可能となっている。このとき、前壁３０、後壁３１、左壁３４、及び右壁３５の内壁面に外縁部２８が当接することによって、板クランプ２２の上下方向７のスライドが案内される。
【００３７】
また、長手方向において互いに対向する板クランプ２２の一対の端面は、図２（Ｂ）に示されるように、両端部に対して中央部が凹んだ湾曲面２８Ａ、２８Ｂである。また、ガイド部２３の上壁３２のうちの前後方向８において開口３８に隣接する壁面は、図２（Ａ）に示されるように、湾曲面２８Ａに沿う湾曲面３２Ａ、３２Ｂとなっている。さらに、ガイド部２３の下壁３３のうちの前後方向８において開口３９に隣接する壁面は、湾曲面２８Ｂに沿う湾曲面（不図示）となっている。そして、図６及び図７に示される位置に板クランプ２２がスライドされたとき、板クランプ２２の湾曲面２８Ａとガイド部２３の上壁３２の湾曲面３２Ａ、３２Ｂとは面一となる。同様に、図３及び図４に示される位置に板クランプ２２がスライドされたとき、板クランプ２２の湾曲面２８Ｂとガイド部２３の下壁３３の湾曲面とは面一となる。
【００３８】
図３及び図４に示される位置に板クランプ２２が配置されているとき、ガイド部２３の開口３６、３７と、板クランプ２２の貫通孔２７の幅広部２７Ａとが前後方向８において概ね一直線上に並ぶ。その結果、保持部材２１によって保持されている排尿チューブ１５は、図５に示されるように、幅広部２７Ａの位置において板クランプ２２の貫通孔２７に挿通されている。そして、幅広部２７Ａの開口幅は排尿チューブ１５の外径寸法より広いので、この状態（以下、「許容状態」と表記する。）におけるクランプ装置２０は、排尿チューブ１５内の尿の流通するを許容している。
【００３９】
一方、図６及び図７に示される位置に板クランプ２２が配置されているとき、ガイド部２３の開口３６、３７と、板クランプ２２の貫通孔２７の幅狭部２７Ｂとが前後方向において概ね一直線上に並ぶ。その結果、保持部材２１によって保持されている排尿チューブ１５は、図８に示されるように、幅狭部２７Ｂの位置において板クランプ２２の貫通孔２７に挿通されている。そして、幅狭部２７Ｂの開口幅は排尿チューブ１５の肉厚の２倍より狭いので、排尿チューブ１５は、幅狭部２７Ｂによって押しつぶされた状態となっている。すなわち、この状態（以下、「規制状態」と表記する。）におけるクランプ装置２０は、排尿チューブ１５内の尿の流通を規制している。
【００４０】
［本実施形態の作用効果］
本実施形態におけるクランプ装置２０は、例えば以下のように操作されることによって、許容状態と規制状態とが切り替えられる。まず、図３及び図４に示される許容状態のクランプ装置２０に対して、ユーザは、第１筒状部２４に下側から人差し指を引っ掛け、第２筒状部２５に下側から中指を引っ掛ける。そして、ユーザは、板クランプ２２の上端に親指を当てて湾曲面２８Ａと湾曲面３２Ａ、３２Ｂとが面一となるまで板クランプ２２を押し下げることにより、板クランプ２２を図６及び図７の位置までスライドさせることができる。すなわち、クランプ装置２０が許容状態から規制状態に切り替わる。
【００４１】
ここで、下方にスライドされる板クランプ２２は、前壁３０及び後壁３１の内壁面に当接することによって前後方向８への傾きが規制され、左壁３４及び右壁３５の内壁面に当接することによって左右方向９への傾きが規制される。すなわち、ガイド部２３は、板クランプ２２がスライドされる過程において、排尿チューブ１５と板クランプ２２との交差角度（本実施形態では、９０°）が変動するのを規制することができる。これにより、排尿チューブ１５を幅広部２７Ａから幅狭部２７Ｂに確実に移動させることができる。なお、排尿チューブ１５と板クランプ２２との交差角度は９０°に限定されないが、９０°に近い角度であることが望ましい。
【００４２】
また、本実施形態によれば、排尿チューブ１５の開口端１７側が第１筒状部２４によって保持されている。これにより、幅狭部２７Ｂに押し込まれる際に排尿チューブ１５の開口端１７側が暴れて、尿が飛び散るのを抑制することができる。また、第１筒状部２４及び第２筒状部２５によって排尿チューブ１５を広範に保持するので、板クランプ２２のスライドがさらに安定する。但し、第２筒状部２５は本発明に必須の構成要素ではなく、省略することができる。
【００４３】
また、第１筒状部２４及び第２筒状部２５は、板クランプ２２をスライドさせる際に人差し指及び中指を引っ掛ける把持部として機能する。そして、第１筒状部２４及び第２筒状部２５の外周面を中央部が凹んだ湾曲面とすることにより、人差し指及び中指を安定して引っ掛けることができる。その結果、板クランプ２２をさらに安定してスライドさせることができる。
【００４４】
また、本実施形態によれば、第１筒状部２４にフランジ部２６を設けたことにより、図１の状態において、開口端１７から排尿チューブ１５の外周面を伝って流れ落ちる尿で第１筒状部２４（すなわち、人差し指を引っ掛ける部分）が汚染されるのを抑制することができる。その結果、クランプ装置２０を衛生的に操作することができる。
【００４５】
また、本実施形態によれば、板クランプ２２の上端の湾曲面２８Ａと、ガイド部２３の上壁３２の湾曲面３２Ａ、３２Ｂとを同一の曲率とし、且つ湾曲面２８Ａ、３２Ａ、３２Ｂが面一となるまで板クランプ２２をスライド可能としている。これにより、板クランプ２２をスライドさせるユーザに、排尿チューブ１５が幅狭部２７Ｂに嵌まり込んだことを認識させることができる。
【００４６】
また、図６及び図７に示される規制状態のクランプ装置２０に対して、ユーザは、第１筒状部２４に上側から人差し指を引っ掛け、第２筒状部２５に上側から中指を引っ掛ける。そして、ユーザは、板クランプ２２の下端に親指を当てて湾曲面２８Ｂと下壁３３の湾曲面とが面一となるまで板クランプ２２を押し下げることにより、板クランプ２２を図３及び図４の位置までスライドさせることができる。
【００４７】
このとき、板クランプ２２の下端の湾曲面２８Ｂと、ガイド部２３の下壁３３の湾曲面（不図示）とを同一の曲率とし、且つこれらが面一となるまで板クランプ２２をスライド可能とすることにより、板クランプ２２をスライドさせるユーザに、排尿チューブ１５が幅狭部２７Ｂを抜け出たことを認識させることができる。
【００４８】
また、本実施例における保持部材２１は、非可撓な硬度を有する硬質樹脂で成型されている。このようにすることで、使用者は安心して保持部材２１を保持できるとともに、保持部材２１を保持しつつ板クランプ２２を力強く押圧することができる。さらに、排尿チューブ１５を安定的に保持することができるため、排尿チューブ１５の先端からの液体の飛び散りを好適に抑制可能である。しかしながら、本発明の課題（板クランプ２２のガイドおよび排尿チューブ１５の先端からの液体の飛び散りの抑制）は、保持部材２１の材質に限らず、排尿チューブ１５の開口端１７側が保持部材２１によって保持されていれば、解決可能である。従って、保持部材２１を構成する材料は、非可撓性の硬質樹脂が好適であるが、軟質樹脂であってもよいし、可撓性を有していてもよい。
【００４９】
さらに、本実施形態では、医療器具の一例として尿を貯留する尿バッグ１０を説明したが、本発明はこれに限定されない。すなわち、本発明は、液体（典型的には、体液）を排出するドレインチューブと、当該ドレインチューブ内の液体の流通を許容或いは規制するクランプ装置２０とを備えるあらゆる医療器具に適用することができる。
【符号の説明】
【００５０】
１０・・・尿バッグ
１１・・・容器
１５・・・排尿チューブ
１７・・・開口端
２０・・・クランプ装置
２１・・・保持部材
２２・・・板クランプ
２３・・・ガイド部
２４・・・第１筒状部
２５・・・第２筒状部
２６・・・フランジ部
２７・・・貫通孔
２７Ａ・・・幅広部
２７Ｂ・・・幅狭部
２８Ａ，２８Ｂ，３３Ａ，３３Ｂ・・・湾曲面
３８，３９・・・開口
【図１】
2014230617.tif 000003
【図２】
2014230617.tif 000004
【図３】
2014230617.tif 000005
【図４】
2014230617.tif 000006
【図５】
2014230617.tif 000007
【図６】
2014230617.tif 000008
【図７】
2014230617.tif 000009
【図８】
2014230617.tif 000010